(57)【特許請求の範囲】
【請求項１】
銅芯からなり、円柱状のワイヤ形状を有し、円柱状のワイヤ形状の長さに沿って電気を伝導することができる電気ワイヤにおいて、前記銅芯を、錫、アンチモン及び銅からなる合金の溶融槽に所定の速度で連続して浸漬することによって、前記銅芯の外部表面全体に錫、アンチモン及び銅からなる合金の被覆層が形成されており、前記合金が、錫７４−９８．９重量％、アンチモン１−１０重量％及び銅０．１重量％以上からなる電気ワイヤ。
【請求項２】
前記合金が、錫９５重量％、アンチモン４重量％及び銅１重量％から成る請求項１に記載の電気ワイヤ。
【請求項３】
請求項１に記載の電気ワイヤが、
低レベル信号用の接続ケーブル、
電源供給用の接続ケーブル、
プリント回路トラック、
結合、信号、パルス若しくは電源のトランス、
双極、アレイ若しくはミクロストライプのアンテナ、又は
信号用、電源供給用若しくは電磁気スクリーン用のコネクター
に用いられる電気ワイヤの使用方法。
【請求項４】
請求項３に記載のトランスにおいて、電気ワイヤの覆いが不伝導性の黒い絹で作製され、ワイヤ自体上に織ってあるトランス。
【請求項５】
前記電気ワイヤが、
低レベル信号用の接続ケーブル、
電源供給用の接続ケーブル、
プリント回路トラック、
結合、信号、パルス若しくは電源のトランス、
双極、アレイ若しくはミクロストライプのアンテナ、及び
信号用、電源供給用若しくは電磁気スクリーン用のコネクター
からなる群から選ばれる機器の内部に組み込まれる請求項１に記載の電気ワイヤ。
【請求項６】
請求項１に記載の電気ワイヤからなる巻線で作製されている電気的な分配経路のための電源トランス。
【請求項７】
銅芯からなり、円柱状のワイヤ形状を有し、円柱状のワイヤ形状の長さに沿って電気を伝導することができる電気ワイヤにおいて、前記銅芯の外部表面全体を錫７４−９８．９重量％、アンチモン１−１０重量％及び銅０．１重量％以上からなる合金の層で被覆するために、前記銅芯を錫７４−９８．９重量％、アンチモン１−１０重量％及び銅０．１重量％以上からなる合金の溶融槽へ所定の速度で連続して浸漬し、伝導金属である前記銅芯上に合金層を形成した電気ワイヤ。
【請求項８】
前記合金が、錫９５重量％、アンチモン４重量％及び銅１重量％から成る請求項７に記載の電気ワイヤ。
【請求項９】
請求項７に記載の電気ワイヤが、
低レベル信号用の接続ケーブル、
電源供給用の接続ケーブル、
プリント回路トラック、
結合、信号、パルス若しくは電源のトランス、
双極、アレイ若しくはミクロストライプのアンテナ、又は
信号用、電源供給用若しくは電磁気スクリーン用のコネクター
に用いられる電気ワイヤの使用方法。
【請求項１０】
前記電気ワイヤが、
低レベル信号用の接続ケーブル、
電源供給用の接続ケーブル、
プリント回路トラック、
結合、信号、パルス若しくは電源のトランス、
双極、アレイ若しくはミクロストライプのアンテナ、及び
信号用、電源供給用若しくは電磁気スクリーン用のコネクター
からなる群から選ばれる機器の内部に組み込まれる請求項７に記載の電気ワイヤ。
【請求項１１】
請求項７に記載の電気ワイヤからなる巻線で作製されている電気的な分配経路のための電源トランス。
【請求項１２】
請求項１１に記載の電源トランスにおいて、電気ワイヤの覆いが不伝導性の黒い絹で作製され、ワイヤ自体上に織ってある電源トランス。
【請求項１３】
銅芯からなり、円柱状のワイヤ形状を有し、円柱状のワイヤ形状の長さに沿って電気を伝導することができる電気ワイヤの製造方法であって、錫７４−９８．９重量％、アンチモン１−１０重量％及び銅０．１重量％以上からなる合金の溶融槽に伝導金属である前記銅芯を所定の速度で連続して浸漬する工程を含み、前記銅芯の外部表面全体に錫７４−９８．９重量％、アンチモン１−１０重量％及び銅０．１重量％以上からなる合金層を形成させる電気ワイヤの製造方法。
【請求項１４】
合金が、錫９５重量％、アンチモン４重量％及び銅１重量％から成る請求項１３に記載の電気ワイヤの製造方法。
【請求項１５】
溶融槽が、３００℃〜４５０℃の範囲の温度である請求項１３に記載の電気ワイヤの製造方法。
【請求項１６】
浸漬工程前に、
伝導金属である銅芯がフラックスを通過する工程、
６０℃〜９０℃の範囲の温度で銅芯を予熱させる工程、
を更に含み、浸漬工程が３秒間である請求項１３に記載の電気ワイヤの製造方法。
【請求項１７】
前記電気ワイヤが、
低レベル信号用の接続ケーブル、
電源供給用の接続ケーブル、
プリント回路トラック、
結合、信号、パルス若しくは電源のトランス、
双極、アレイ若しくはミクロストライプのアンテナ、及び
信号用、電源供給用若しくは電磁気スクリーン用のコネクター
からなる群から選ばれる機器の内部に組み込まれる工程を更に含む請求項１３に記載の電気ワイヤの製造方法。
【発明の詳細な説明】
【技術分野】
【０００１】
本発明は、電気ワイヤの分野に関係する。
【背景技術】
【０００２】
例えば音声信号のように、小さく可変電気信号の伝導は、先端技術で知られた以来今までの間に電気信号の伝導で、より複雑な現象が多く示され、音の音質、空間性及び耳障りのように、それらを器具を用いて識別することができないが、現象が生じるのは聞き手に聞こえる。
【０００３】
従来の電線生産のために使用された銅によって引き起こされた高周波中の歪み又は中周波中のパックは聞くことができ、そして銀配線によって直接感知される。
【０００４】
上記の問題を克服するために、特許文献１は、連続又は平行した位置に、互いに異なる金属（特に金、銅又は銀）で作製された、多くのワイヤから成るケーブルについて記述し、前記ワイヤは互いに絶縁されており、不伝導性の覆いで包まれた。
【０００５】
これらのワイヤの有効性にもかかわらず、それらは金の存在の必要性及びそれらが要する生産問題が与えた工業レベルを満たすのが明らかに困難である。
【０００６】
別の解決法は、成分の金属と配線によって生じた様々な音質又は歪みを補正するために、フィルタ又は補正ネットワークの利用にある。しかしながら、結果は完全に満足するものではなく、また除去することができない歪みは残留し、それは聞き手によって感知される。
【０００７】
従って、銀のみを使用した生産品の非常に明瞭な歪のない音は、しかし相当に弱く、かつ明らかにあまりにも金属的である事実を考慮し、純粋な金属に関連した上記のマイナス要因を除去するのは重要である。
【特許文献１】米国特許６，３９９，８８５号明細書
【発明の開示】
【発明の効果】
【０００８】
合金がセットパーセントの適切な金属から成って被覆される表面で、金属ワイヤによって完全に満足なやり方でその問題を解決することが可能であることは驚くほどに見出した。
【０００９】
更に、記述されるようなワイヤが見出され、そして本出願で請求した、前述の問題を完全に解決するだけでなく電気信号の伝導の純度が優れた目的能力を得ることにとって不可欠な他の使用も容認される。
【発明を実施するための最良の形態】
【００１０】
発明によって、ワイヤは、電流を伝導することができる普通の金属ワイヤ、例えば銅ワイヤから成り、その外部の表面は、錫、アンチモン及び銅を含んでいる合金で被覆される。
【００１１】
好ましくは合金を構成する様々な金属は、下記の集団の中にある：
７４％から９８．９％までの錫
１％から１０％までのアンチモン
０．１％から２５％までの銅
【００１２】
発明によって、合金はより好ましくは、錫９５％、アンチモン４％、銅１％から成る。
【００１３】
通常、ワイヤの品質は、合金層厚さの増加の様に増加する。
【００１４】
発明によってワイヤを得るために、金属ワイヤは溶融合金から成る溶槽に浸される。明らかに、ワイヤが溶槽中に放置する時間は、溶槽の温度、ワイヤを構成する金属の種類と後者の溶融なしにワイヤに合金の被覆を許すためのその範囲、に依存するでしょうし、又は過度に高温であまりに長い間の浸漬によって破損される。
【００１５】
例えば、ワイヤが直径にして０．４０ｍｍである場合、３００℃と４５０℃の間の温度を備えた溶槽が使用され、そしてワイヤ液浸時間は約３秒である。
【００１６】
溶融合金の溶槽に浸される前に、金属ワイヤは好ましくは、電気的な材料の溶接あるいは電気回路の生産の中で通常使用されるタイプの、フラックス、例えばロジンの中を通され、そして次に、乾燥のために静置される：そのフラックスは、ワイヤへの溶融合金の付着を改善する。
【００１７】
もし好ましくは、合金溶槽中の浸漬前に、ワイヤは例えば６０℃と９０℃の間の温度に予熱される。
【実施例】
【００１８】
発明によるワイヤの生産の例は、下記に挙げられる。
【００１９】
例１
直径０．４０ｍｍの銅ワイヤはロジンの中を通され、乾燥のために静置され；その後、ワイヤは６０℃−８０℃に予熱される。
【００２０】
その後、ワイヤは、３ｍ／分の速度で、約４００℃の温度で、錫（９５％）、アンチモン（４％）及び銅（１％）から成る溶融合金を含有しているるつぼに浸される；液浸時間は約３秒である。
【００２１】
その後、合金の層で被覆されたワイヤは冷却するために静置される。
【００２２】
例２
０．９０ｍｍのワイヤを使用し、そして約３．３ｃｍ／秒の速度でそれを浸して、約４００℃の温度で合金溶槽を維持して、例１が繰り返された。
【００２３】
上記の例によって生産されたワイヤで行なわれた試験は、オーディオやビデオの分野で、例えば、それにリンクしたパラメーター、背景音、微小コントンラスト及び色彩が増加するので、かなり解像能が増加することを示す。
【００２４】
発明によってワイヤは、低レベルの信号用の接続ケーブルだけでなく、電源供給用の接続ケーブル用、プリント回路トラック用、結合、信号、パルス及び電源のトランス用、双極、アレイ及びミクロストライプのアンテナ用、信号用又は電源供給用及び電磁気スクリーン用のコネクター用にも非常に広範囲の用途に好適である。
【００２５】
特に発明は、アナログ、デジタル及びパルス信号の電気的な分配経路のための電源トランス及び／又は結合トランスに関係し、それらの巻線は上述されるようなワイヤで作製されている。
【００２６】
好ましくは、発明によるトランスのために使用される不伝導性の覆いは、黒い絹で作製され、好ましくはワイヤ自体上で織ってある。
【００２７】
特に、前記トランスが音声信号の原動力の増加を許すと、電源ノイズを減少して；更に、それらは録音、再生システムの両方の際に微小情報と背景音の増加及び音質の変化を許し；更に、前記現象はトランスとの結合中に得られる。
【００２８】
ビデオシステムを備えた電源トランスを使用すると、色彩とコントラストの増加及びノイズの減少があった。
【００２９】
上述されるようなワイヤで生産されたデジタル信号用のトランスは、上記パラメーター中で他のワイヤ材料で生産したものより多くの良い結果をもたらした。